(57)【要約】【課題】電力増幅器が故障した影響を最小限に抑える放送用送信装置を提供する。【解決手段】第２の電力増幅器１０５が故障すると、第２の電力増幅器１０５から故障情報の監視信号が自動制御装置１１４に出力され、自動制御装置１１４は、内蔵する可変コンデンサ１１５と可変コンデンサ１１６の容量を大きくするための制御信号を生成し、第２のＬＰＦ１０６に出力する。第２のＬＰＦ１０６はこの制御信号により可変コンデンサ１１５と可変コンデンサ１１６の通過特性を変化させることで可変コンデンサ１１５と可変コンデンサ１１６の容量を大きくし、故障した第２の電力増幅器１０５の出力電力における通過帯域の周波数を低く抑え、故障した第２の電力増幅器１０５の減衰量を大きくする。このように減衰量を大きくすることで、合成器１１３の入力端１１３ｂを開放端と見なすことで合成器１１３は第２の電力増幅器１０５を擬似的に切り離す。【選択図】図２
2013048363.tif 000002
【特許請求の範囲】
【請求項１】
複数の電力増幅器と前記電力増幅器の出力電力を合成する合成器とを有する放送用送信装置において、
前記電力増幅器と前記合成器の間に前記電力増幅器毎に設けられ前記電力増幅器の出力電力を入力する複数のローパスフィルタを備え、
前記電力増幅器が故障したときに、故障した前記電力増幅器から出力電力を入力する前記ローパスフィルタにより故障した前記電力増幅器の出力電力を減衰することで故障した前記電力増幅器を前記合成器から切り離された状態にすることを特徴とする放送用送信装置。
【発明の詳細な説明】
【技術分野】
【０００１】
本発明は、放送用送信装置に係り、特に複数の電力増幅器を備えた放送用送信装置に関する。
【背景技術】
【０００２】
複数台の電力増幅器を備えた放送用送信装置は、複数台の電力増幅器から出力された信号を合成して送信している。図４に従来の放送用送信装置における信号を合成する信号合成部３０の構成を示す。図４に示すように、放送用送信装置の信号合成部３０は、第１の前段部１０１、第１の電力増幅器１０２、第２の前段部１０４、第２の電力増幅器１０５、第３の前段部１０７、第３の電力増幅器１０８、第４の前段部１１０、第４の電力増幅器１１１、及び合成器１１３から構成されている。また、合成器１１３には、入力端１１３ａ、入力端１１３ｂ、入力端１１３ｃ、入力端１１３ｄ、及び出力端１１３ｆの端子を備えている。入力端１１３ａ、入力端１１３ｂ、入力端１１３ｃ、及び入力端１１３ｄからの信号を合成する点が結合点１１３ｅであり、結合点１１３ｅは出力端１１３ｆに接続されている。
【０００３】
第１の前段部１０１、第２の前段部１０４、第３の前段部１０７、及び第４の前段部１１０は、信号を発生したり、受信した信号の周波数変換などを行う。第１の電力増幅器１０２は、第１の前段部１０１から入力した信号を増幅し、合成器１１３の入力端１１３ａに出力する。同様に、第２の電力増幅器１０５は、第２の前段部１０４から入力した信号を増幅し、合成器１１３の入力端１１３ｂに出力する。第３の電力増幅器１０８は、第３の前段部１０７から入力した信号を増幅し、合成器１１３の入力端１１３ｃに出力する。第４の電力増幅器１１１は、第４の前段部１１０から入力した信号を増幅し、合成器１１３の入力端１１３ｄに出力する。
【０００４】
このような従来の放送用送信装置における各機器を接続する接続ケーブルは、各機器の特性インピーダンス及び通過電力に応じて選択される。第１の電力増幅器１０２、第２の電力増幅器１０５、第３の電力増幅器１０８、及び第４の電力増幅器１１１については、一般的にその特性インピーダンスは５０Ωである。しかし、放送用送信設備の基幹局レベルでは、第１の電力増幅器１０２、第２の電力増幅器１０５、第３の電力増幅器１０８、及び第４の電力増幅器１１１の出力電力は数百Ｗとなる。このため、第１の前段部１０１、第２の前段部１０４、第３の前段部１０７、及び第４の前段部１１０から第１の電力増幅器１０２、第２の電力増幅器１０５、第３の電力増幅器１０８、及び第４の電力増幅器１１１までは、通常は高周波領域で特性インピーダンスが一定となる５Ｄ−２Ｗケーブルが使用されている。また、第１の電力増幅器１０２、第２の電力増幅器１０５、第３の電力増幅器１０８、及び第４の電力増幅器１１１から合成器１１３の入力端１１３ａ〜１１３ｄまでは、通常は高周波用機器の接続に用いられる２０Ｄ給電管が使用される。
【０００５】
合成器１１３は、入力端１１３ａ、入力端１１３ｂ、入力端１１３ｃ、及び入力端１１３ｄから結合点１１３ｅまで接続するケーブル長を１／２波長とした一般的な不平衡形並列方式合成器である。また、合成器１１３の結合点１１３ｅから出力端１１３ｆまでのケーブル長は１／４波長である。合成器１１３の合成方式の特徴は、各入力間のアイソレーション特性は良くないが、入力端１１３ａ、入力端１１３ｂ、入力端１１３ｃ、及び入力端１１３ｄから同相、同レベルの信号が入力された状態であれば効率的な合成出力を得ることができることである。また、入力端１１３ａ、入力端１１３ｂ、入力端１１３ｃ、及び入力端１１３ｄを結合点１１３ｅに接続するケーブル長はそれぞれ１／２波長とするため、入力端１１３ａ、入力端１１３ｂ、入力端１１３ｃ、又は入力端１１３ｄのいずれかを未接続とすると、合成器１１３は、未接続とした入力端は擬似的に開放端と見なすことができる。このため、合成器１１３の他の入力端に入力される信号が開放端と見なされた未接続の入力端に流れ込むことがない。
【先行技術文献】
【特許文献】
【０００６】
【特許文献１】特開平５−１０２７７７号公報
【発明の概要】
【発明が解決しようとする課題】
【０００７】
しかし、第１の電力増幅器１０２、第２の電力増幅器１０５、第３の電力増幅器１０８、及び第４の電力増幅器１１１のいずれかが故障した場合には、故障した電力増幅器に対応する入力端は開放端とは見なされないため、故障した電力増幅器は合成器１１３に接続されたままの状態となる。また、第１の電力増幅器１０２、第２の電力増幅器１０５、第３の電力増幅器１０８、及び第４の電力増幅器１１１の特性インピーダンスは５０Ωであるので、故障した電力増幅器の特性インピーダンスの５０Ωが合成器１１３に接続されたままの状態となる。このように、合成器１１３に特性インピーダンスの５０Ωが接続されたままの状態となることで、合成器１１３の出力電力が低下してしまうという現象が発生していた。
【０００８】
従来の放送用送信装置の信号合成部３０における第１の電力増幅器１０２、第２の電力増幅器１０５、第３の電力増幅器１０８、及び第４の電力増幅器１１１のいずれか１台が故障し、合成器１１３にそのまま接続されている場合と、故障した電力増幅器を合成器１１３から取り外した場合における合成器１１３の出力電力について比較する。
（１） 故障した電力増幅器を合成器に接続したままの場合
合成器の定格出力をＰｔ、実合成出力をＰｃ、合成器１１３における電力増幅器の台数をｎ、故障した台数をｍとすると、下式により求められる。
Ｐｃ＝{（ｎ−ｍ）^２／ｎ^２}×Ｐｔ・・・(式１)
この（式１）を図４に示す従来の信号合成部３０において１台の電力増幅器が故障した場合に適用すると、Ｐｔ＝１０００Ｗ、ｎ＝４、ｍ＝１となり、合成器１１３の出力電力は下記となる。
Ｐｃ＝{（４−１）^２／４^２}×１０００＝５６２．５Ｗ
（２） 故障した電力増幅器を合成器から外した場合
合成器の定格出力をＰｔ、実合成出力をＰｃ'、電力増幅器の台数をｎ、故障した台数をｍとすると、下式により求められる。
Ｐｃ＝{（ｎ−ｍ）／ｎ}×Ｐｔ・・・(式２)
この（式２）を図４に示す従来の信号合成部３０において１台の電力増幅器が故障した場合適用すると、Ｐｔ＝１０００Ｗ、ｎ＝４、ｍ＝１となり、合成器１１３の出力電力は下記となる。
Ｐｃ＝{（４−１）／４}×１０００＝７５０Ｗ
【０００９】
以上により、電力増幅器が故障した場合は、故障した電力増幅器を合成器に接続したままの状態よりも合成器から外した方が合成器の出力電力に与える影響は小さくすることができる。従って、故障した電力増幅器は速やかに合成器から外した方がよい。しかし、実際に故障した電力増幅器は合成器から取り外すには、放送用送信装置が設置されている場所まで作業員が出向き、手動で取り外す作業を行う必要がある。また、この問題に対処するため、電力増幅器と合成器との間に同軸スイッチやＰＩＮダイオードを用いたスイッチを設け、放送用送信装置が電力増幅器の故障を検知した時点で、放送用送信装置が自動でそのスイッチにより故障した電力増幅器を合成器から切り離す方法も考えられた。しかし、合成器の出力電力は大電力であるので、スイッチを用いて電力増幅器を合成器から切り離しを行うと、スイッチを通すことによる合成器の電力損失を発生させ、またスイッチの誤作動により合成器の信頼性を低下させる場合があるので、スイッチを用いて故障した電力増幅器を合成器から切り離すことは通過損失、信頼性の点で問題であった。
【００１０】
特許文献１のインピーダンス整合回路とを有する分配器又は合成器は、電力増幅器を複数使用する場合に、インピーダンス整合回路を複数のλ／４長ケーブルで構成し、分配数または合成数に応じてλ／４長ケーブルを選択して使用することで、分配数又は合成数が変化してもインピーダンス整合回路にてインピーダンスを整合できるようにした例である。特許文献１の分配器又は合成器、また前述の従来技術の放送用送信装置では、電力増幅器が故障した場合、電力増幅器出力は合成器に接続されたままとなり、電力増幅器の特性インピーダンスにより必要以上に出力電力を低下させてしまう。このため、電力増幅器の故障により合成器の出力電力が大きく低下したときに正常な他の電力増幅器の出力電力を大きくすることで、放送用送信装置としての定格出力電力をできるたけ確保するように制御を行う場合がある。しかし、正常な電力増幅器の出力電力を大きくすることで正常な電力増幅器の負担が大きくなる。更にこのように放送用送信装置が運転を続けると、正常な電力増幅器の寿命が短くなり、故障する可能性が高くなる。また、正常な電力増幅器の出力電力を大きくすることで電力増幅器の歪特性が悪化することになり、放送信号の品質の劣化を招く可能性も高く、放送を受信しているサービスエリアへの影響が懸念される。しかし、放送用送信装置は、山間部に建設された局舎に設置され、無人で運用されていることが多い。このため、故障した電力増幅器を合成器から取り外すには、山間部の局舎まで作業員が行かなければならないので、作業員の人件費や交通費などの費用がかかる。
【００１１】
本発明はこのような状況に鑑みてなされたものであり、上記課題を解決できる無線装置を提供することを目的とする。
【課題を解決するための手段】
【００１２】
本発明の放送用送信装置は、複数の電力増幅器と前記電力増幅器の出力電力を合成する合成器とを有する放送用送信装置において、前記電力増幅器と前記合成器の間に前記電力増幅器毎に設けられ前記電力増幅器の出力電力を入力する複数のローパスフィルタを備え、前記電力増幅器が故障したときに、故障した前記電力増幅器から出力電力を入力する前記ローパスフィルタにより故障した前記電力増幅器の出力電力を減衰することで故障した前記電力増幅器を前記合成器から切り離された状態にすることを特徴としている。
【発明の効果】
【００１３】
本発明によれば、複数の電力増幅器を備えた放送用送信装置において、電力増幅器が故障した場合に、電力増幅器を合成器から擬似的に自動で切り離す構造とすることで、電力増幅器の故障による合成器の出力電力の低下を抑えることが可能な放送用送信装置を提供する。
【図面の簡単な説明】
【００１４】
【図１】本発明の実施形態に係る放送用送信装置の信号合成部の構成を示す図である。
【図２】本発明の実施形態に係る放送用送信装置における自動制御装置を備えた信号合成部の構成を示す図である。
【図３】本発明の実施形態に係る放送用送信装置の信号合成部における周波数対減衰量特性の変化を示すグラフである。
【図４】従来の放送用送信装置の信号合成部の構成を示す図である。
【発明を実施するための形態】
【００１５】
以下、本発明を実施するための形態（以下、「実施形態」という）について図面を参照して説明する。
【００１６】
図１は、放送用送信装置の本発明の実施形態に係る信号合成部１０の構成を示す図である。図１に示す放送用送信装置の信号合成部１０は、第１の前段部１０１、第１の電力増幅器１０２、第１のＬＰＦ１０３、第２の前段部１０４、第２の電力増幅器１０５、第２のＬＰＦ１０６、第３の前段部１０７、第３の電力増幅器１０８、第３のＬＰＦ１０９、第４の前段部１１０、第４の電力増幅器１１１、第４のＬＰＦ１１２、及び合成器１１３から構成されている。また、合成器１１３には、入力端１１３ａ、入力端１１３ｂ、入力端１１３ｃ、入力端１１３ｄ、結合点１１３ｅ、及び出力端１１３ｆを備えている。第１の前段部１０１、第２の前段部１０４、第３の前段部１０７、及び第４の前段部１１０は、図４に示す従来の放送用送信装置の信号合成部３０に同じである。第１の電力増幅器１０２、第２の電力増幅器１０５、第３の電力増幅器１０８、及び第４の電力増幅器１１１は、図４に示す従来の放送用送信装置の信号合成部３０に同じである。合成器１１３は、図４に示す従来の放送用送信装置の信号合成部３０に同じである。
【００１７】
第１のＬＰＦ１０３、第２のＬＰＦ１０６、第３のＬＰＦ１０９、及び第４のＬＰＦ１１２は、出力インピーダンスが５０Ωに設計された全て同等の特性を有するπ型の低域ろ波フィルタ或いは整合回路であり、２つの可変コンデンサ１１５、可変コンデンサ１１６を内蔵している。この可変コンデンサ１１５及び可変コンデンサ１１６は、例えば大電力に耐えられる構造のコンデンサであり、放送用の無停波切替器の移相部で使用している可変形コンデンサ（トロンボーン状線路）、または高耐圧の可変容量形ダイオードとすることも可能である。このような第１のＬＰＦ１０３、第２のＬＰＦ１０６、第３のＬＰＦ１０９、及び第４のＬＰＦ１１２は、同軸スイッチやＰＩＮダイオードを用いたスイッチと比べて信頼性が良く、特にＰＩＮダイオードを用いて電力信号を直接に開閉するに比べて通過損失が少なく、発熱による劣化・故障が起こりにくく、劣化・故障した場合の悪影響も少ない。
【００１８】
第１のＬＰＦ１０３は、第１の電力増幅器１０２から信号を入力すると合成器１１３の入力端１１３ａに出力する。第２のＬＰＦ１０６は、第２の電力増幅器１０５から信号を入力すると合成器１１３の入力端１１３ｂに出力する。第３のＬＰＦ１０９は、第３の電力増幅器１０８から信号を入力すると合成器１１３の入力端１１３ｃに出力する。第４のＬＰＦ１１２は、第４の電力増幅器１１１から信号を入力すると合成器１１３の入力端１１３ｄに出力する。第１のＬＰＦ１０３、第２のＬＰＦ１０６、第３のＬＰＦ１０９、及び第４のＬＰＦ１１２は、内蔵する可変コンデンサ１１５及び可変コンデンサ１１６を機械的に変位させ或いはバイアス電流を変化させることで可変コンデンサ１１５及び可変コンデンサ１１６の容量を大きくし、第１の電力増幅器１０２、第２の電力増幅器１０５、第３の電力増幅器１０８、及び第４の電力増幅器１１１の出力電力において通過帯域の上限（又は下限）の周波数を低くすることができる。つまり、第１の電力増幅器１０２、第２の電力増幅器１０５、第３の電力増幅器１０８、又は第４の電力増幅器１１１のいずれかが故障した場合に、それに接続されている第１のＬＰＦ１０３、第２のＬＰＦ１０６、第３のＬＰＦ１０９、又は第４のＬＰＦ１１２により故障した電力増幅器の出力電力における通過帯域を、電力増幅器１０２等からの信号の周波数から外れさせることで、入力端１１３ａ等から見た第１のＬＰＦ１０３等の出力インピーダンスが５０Ωよりも十分大きくなる。この結果、電力増幅器は疑似的に合成器１１３から切り離されたと見なされる。
【００１９】
次に、自動制御装置１１４を備えた放送用送信装置の信号合成部２０の構成を図２に示す。信号合成部２０の構成は、自動制御装置１１４を設けている以外は、信号合成部１０の構成に同じである。自動制御装置１１４は、信号合成部２０の各機器とケーブルを介して接続し、信号合成部２０の各機器を監視し制御を行う装置である。自動制御装置１１４は、第１の電力増幅器１０２から故障情報などの信号（以下、監視信号という）を入力し、監視信号により第１の電力増幅器１０２の故障を検出した場合に、第１のＬＰＦ１０３に対して制御を行うための信号（以下、制御信号）を出力する。同様に、第２の電力増幅器１０５、第３の電力増幅器１０８、及び第４の電力増幅器１１１から監視信号を入力し、監視信号により第２の電力増幅器１０５、第３の電力増幅器１０８、又は第４の電力増幅器１１１のいずれかの故障を検出した場合に、対応する第２のＬＰＦ１０６、第３のＬＰＦ１０９、又は第４のＬＰＦ１１２に対して制御信号を出力する。
【００２０】
このような、図２に示す放送用送信装置の信号合成部２０を用いて、第２の電力増幅器１０５が故障した場合の信号の流れについて、具体的に説明する。
【００２１】
第２の電力増幅器１０５が故障すると、まず、第２の電力増幅器１０５から故障情報の監視信号が自動制御装置１１４に出力される。次いで、自動制御装置１１４が第２の電力増幅器１０５から故障情報の監視信号を入力すると、自動制御装置１１４はその監視信号の故障情報に基づいて故障個所を把握する。次いで、自動制御装置１１４は、内蔵する可変コンデンサ１１５の容量を大きくするために通過特性を変化させる制御信号を生成し、第２のＬＰＦ１０６に出力する。この制御信号は可変コンデンサ１１５のコンデンサの可変部を駆動させるための接点信号等である。このように、第２のＬＰＦ１０６の通過帯域を低周波数側にシフトすることで、故障した第２の電力増幅器１０５の減衰量を大きくすることができる。つまり、通常時においては、通過帯域を高い周波数とすることで、出力電力が高い周波数で減衰（以下、カットオフという）されるので通過帯域の出力電力の減衰量が小さくなる。しかし、第２の電力増幅器１０５が故障したときには、通過帯域を低い周波数とすることで、信号帯域が通過帯域から外れ出力電力の減衰量が大きくなる。
【００２２】
図３は、信号合成部２０における周波数対減衰量特性の変化を示すグラフ２００である。破線は正常時の特性、実線は故障時の特性、斜線の矩形領域は本例の放送用送信装置が扱う信号の帯域を示す。通過特性を矢印２００ａの方向に移動すると減衰量が大きくなり始める周波数（以下、カットオフ周波数という）が低くなり、信号帯域での減衰量が大きくなる。このように信号帯域での減衰量が大きくなると、故障した第２の電力増幅器１０５が接続されている入力端１１３ｂは開放端と見なされる。これにより、合成器１１３は、故障した第２の電力増幅器１０５を擬似的に切り離されたと見なすことができるので、合成器１１３は合成出力の低下を最小限に抑えることができるようになる。
【００２３】
尚、実施形態では、第１のＬＰＦ１０３等はパイ型フィルタ１段としたが、２段、３段と段数を増加させてもよく、第二種チェビシェフフィルタ等として構成することも可能である。複数の段数を一斉に切り替えた場合には、図３に示す周波数対減衰量特性の変化を示すグラフ２００において、遮断特性が急峻になる。第１のＬＰＦ１０３等は、単に信号遮断手段としてではなく、隣接帯域への不要輻射を抑圧する目的を兼ねることができる。第１のＬＰＦ１０３等の通過帯域の可変幅は、少なくとも使用する所定の信号周波数において電力増幅器をアイソレーション状態とみなせる程度に有していればよい。更に複数のチャンネルに共通に利用可能な放送用送信装置とする場合、それら複数のチャンネル分の可変幅を有すると良い。第１のＬＰＦ１０３等は、入力インピーダンスと出力インピーダンスが異なるもの（つまり整合回路）であっても良い。その場合、故障時には整合状態から外れさせれば良いので、可変コンデンサ１１５等の容量を変化させる方向は任意である。
また、第１のＬＰＦ１０３等に数１００Ｗの信号を通過させる必要があり、可変コンデンサ１１５、可変コンデンサ１１６を電子的に実現する場合、静電容量の小さい高周波大電力用コンデンサと、容量の大きい低圧用コンデンサを直列にし、後者の低圧用コンデンサを可変容量ダイオード（バラクタ）、又は短絡用ＰＩＮダイオードと固定コンデンサの並列回路で構成する。低圧用コンデンサは更に複数のコンデンサを直列或いは並列接続して可変範囲（可変数）を増やすことができる。可変コンデンサ１１５、可変コンデンサ１１６を構成するのに可変容量ダイオードを用いる場合は、可変容量ダイオードに通常時は逆のバイアス電圧をかけておき、コンデンサの容量を小さくする。そして、第２の電力増幅器１０５が故障したときには、第２のＬＰＦ１０６が内蔵する可変容量ダイオードのバイアス電圧を断または小さくすることでコンデンサの容量が大きくなる。このように、可変容量ダイオードのコンデンサの容量を制御することで、可変容量ダイオードは可変コンデンサ１１５と同様の機能を実現することが可能となる。
また、通過特性が望ましい方向に確実に変化するのであれば、第１のＬＰＦ１０３等を破壊させる或いは破壊する可能性を高める様な制御をしても良い。また、第１のＬＰＦ１０３等の回路の内部或いは入力端１１３ａ等との接続部に、高周波用のヒューズを設けても良い。入力端１１３ａ等との接続部には、同軸リレー、サイラトロン等の遮断手段を更に設けても良い。
【００２４】
このような実施形態によれば、電力増幅器と合成器の間にＬＰＦを設けることで、電力増幅器が故障した場合に、ＬＰＦが合成器から電力増幅器を擬似的に自動で切り離すことで電力損失を低減することができる。また、電力増幅器が故障した場合における放送用送信装置の保全性や可用性の低下を抑えるので、保守費用を低減することができる。
【００２５】
以上により、複数の電力増幅器を備えた放送用送信装置において、電力増幅器が故障した場合に、電力増幅器を合成器から擬似的に自動で切り離す構造とすることで、電力増幅器の故障による合成器の出力電力の低下を抑えることが可能な放送用送信装置を提供できる。
【００２６】
以上、具体的な実施の形態により本発明を説明したが、上記実施の形態は本発明の例示であり、この実施の形態に限定されないことは言うまでもない。
【００２７】
以上をまとめると、本発明は次のような特徴を有する。
(１) 本発明の放送用送信装置は、複数の電力増幅器と前記電力増幅器の出力電力を合成する合成器とを有する放送用送信装置において、前記電力増幅器と前記合成器の間に前記電力増幅器毎に設けられ前記電力増幅器の出力電力を入力する複数のローパスフィルタを備え、前記電力増幅器が故障したときに、故障した前記電力増幅器から出力電力を入力する前記ローパスフィルタにより故障した前記電力増幅器の出力電力を減衰することで故障した前記電力増幅器を前記合成器から切り離された状態にすることを特徴としている。
(２) （１）の本発明の放送用送信装置の前記ローパスフィルタは、容量を可変にすることができる可変形コンデンサを内蔵していることを特徴としている。
(３) （２）の本発明の放送用送信装置は、前記可変形コンデンサの容量を大きい方向に変化させることで、故障した前記電力増幅器のカットオフ周波数を低くし、前記電力増幅器の出力電力の減衰量が大きくなるように制御することを特徴としている。
(４) （１）の本発明の放送用送信装置の前記ローパスフィルタは、容量を可変にすることができる可変容量形ダイオードを内蔵していることを特徴としている。
(５) （４）の本発明の放送用送信装置は、前記可変容量形ダイオードの容量を大きい方向に変化させることで、故障した前記電力増幅器のカットオフ周波数を低くし、前記電力増幅器の出力電力の減衰量が大きくなるように制御することを特徴としている
(６) （１）から（５）のいずれかの本発明の放送用送信装置の前記ローパスフィルタは、前記容量を切り替える複数段を備えることを特徴としている。
(７) （１）から（６）のいずれかの本発明の放送用送信装置は、前記電力増幅器から故障情報を入力する自動制御装置を備え、前記自動制御装置は前記故障情報により故障している前記電力増幅器を検出し、前記自動制御装置は、故障が検出された前記電力増幅器から出力電力を入力する前記ローパスフィルタの前記容量が大きくなるように制御することを特徴としている。
(８) 本発明の放送用送信装置の制御方法は、複数の電力増幅器と前記電力増幅器の出力電力を合成する合成器とを有する放送用送信装置の制御方法において、前記電力増幅器と前記合成器の間に前記電力増幅器毎に設けられ前記電力増幅器の出力電力を入力する複数のローパスフィルタを備えることで、前記電力増幅器が故障したときに、故障した前記電力増幅器から出力電力を入力する前記ローパスフィルタにより故障した前記電力増幅器の出力電力を減衰することで故障した前記電力増幅器を前記合成器から切り離された状態にすることを特徴としている。
【産業上の利用可能性】
【００２８】
本発明は、放送用送信装置に好適であるが、放送用送信装置に限られるものではなく、信号を合成する装置一般に適用可能である。
【符号の説明】
【００２９】
１０・・・信号合成部
２０・・・信号合成部
３０・・・信号合成部
１０１・・・第１の前段部
１０２・・・第１の電力増幅器（第１のＰＡ）
１０３・・・第１のＬＰＦ
１０４・・・第２の前段部
１０５・・・第２の電力増幅器（第２のＰＡ）
１０６・・・第２のＬＰＦ
１０７・・・第３の前段部
１０８・・・第３の電力増幅器（第３のＰＡ）
１０９・・・第３のＬＰＦ
１１０・・・第４の前段部
１１１・・・第４の電力増幅器（第４のＰＡ）
１１２・・・第４のＬＰＦ
１１３・・・合成器
１１３ａ・・入力端
１１３ｂ・・入力端
１１３ｃ・・入力端
１１３ｄ・・入力端
１１３ｅ・・結合点
１１３ｆ・・出力端
１１４・・・自動制御装置
１１５・・・可変コンデンサ
１１６・・・可変コンデンサ
２００・・・周波数対減衰量特性の変化を示すグラフ
２００ａ・・矢印
【図１】
2013048363.tif 000003
【図２】
2013048363.tif 000004
【図３】
2013048363.tif 000005
【図４】
2013048363.tif 000006